(57)【要約】【課題】  検査のための試料便の採取を容易に且つ確実に行うことができる採便具を得る。【解決手段】  水分散性を有する帯状のシート２の長手方向両端部２ａ，２ｂを接着してリング状の便受けシート３を形成し、便受けシート３内に便座を通すことにより便受けシート３を便座から吊し、便受けシート３の一部が便受け部４となって便器内に排泄された便を受け試料便を採取する採便具であって、便受けシート３の全面に撥水性を備えさせた。【選択図】  図１
2018179539.tif 000002
【特許請求の範囲】
【請求項１】
水分散性を有する帯状のシートの長手方向両端部を接着してリング状の便受けシートを形成し、前記便受けシート内に便座を通すことにより前記便受けシートを便座から吊し、前記便受けシートの一部が便受け部となって便器内に排泄された便を受け試料便を採取する採便具であって、前記便受けシートは全面に撥水性を備えていることを特徴とする採便具。
【請求項２】
前記便受けシートは、全面に撥水剤が塗布された紙製シートであることを特徴とする請求項１に記載の採便具。
【請求項３】
前記便受けシートは、撥水剤が混入された紙製シートであることを特徴とする請求項１に記載の採便具。
【請求項４】
前記便受けシートは、前記便受け部に前記便受けシートの長手方向に直交する谷折れ部が形成されており、前記谷折れ部は両端部の対向面同士が接着されていることを特徴とする請求項１乃至３のいずれか１に記載の採便具。
【請求項５】
前記便受けシートは、前記便受け部が他の部分の幅よりも広幅に形成されていることを特徴とする請求項１乃至４のいずれか１に記載の採便具。
【発明の詳細な説明】
【技術分野】
【０００１】
本発明は、検査のための試料便を採取するための採便具に関する。
【背景技術】
【０００２】
検便は、寄生虫検査や大腸がん検査などの医学的検査において広く行われており、健康管理上重要な意義を有する。従来、試料便の採取は、耐水性を有する紙製の採便シートを用いて行われている。具体的には、トイレットペーパーを敷いた便器内の溜まり水に採便シートを浮かばせ、採便シートが水に浸されて沈むまでの間に排便し、採便シート上の排泄便を採取する。採便後は、採便シートは紙製なのでそのまま流せばよく、処理も簡便である（例えば、特許文献１）  。
【０００３】
しかし、このような溜まり水に浮かばせる採便シートには問題もある。まず、便を排泄する時間は健康状態により異なるものであり、排便に時間がかかれば排便前に採便シートが溜まり水に沈み採便ができなくなる。また沈まないまでも採便シートが溜まり水の水に浸されると、便が溜まり水に触れることになり、検便において精度の高い検査結果を得ることができなくなる。
【０００４】
そこで近年、試料便の採取前に溜まり水に沈んだり浸されたりしない採便具として、耐水性及び水分散性を有する帯状のシートからなり、このシートの長手方向の端部を接合して環形状の便受けシートとし、便受けシートにおける排泄便が載る位置に撥水性を有する材料を塗布し、水洗便器の便座から吊して用いるものが開示されている（例えば、特許文献２）。
【先行技術文献】
【特許文献】
【０００５】
【特許文献１】特許第３５６６８１０号公報
【特許文献２】特許第６０４７６８２号公報
【発明の概要】
【発明が解決しようとする課題】
【０００６】
しかし、水洗便器では、洗浄水や尿が便器内の壁面に当たり散乱することにより、便器の開口縁や便座の下などに洗浄水や尿が付着していることがある。このため、特許文献２に記載されているような採便具は、便座に付着した洗浄水や尿に気が付かずに使用した場合、排泄便を載せる位置のみに撥水性を有する材料を塗布しているので、便器の開口縁や便座に接触している便受けシートにおける撥水性を有しない部分が洗浄水や尿を吸って脆弱化し、採便具に載った排泄便の重みにより脆弱化した部分が切れて、試料便の採取に失敗するおそれがあるといった問題があった。
【０００７】
また、便受けシートにおける便座の上に乗っている部分が、便座に座った採便者の汗を吸って脆弱化し、採便者が立ち上がったとき採便具に載った排泄便の重みにより脆弱化した部分が切れて、試料便の採取に失敗するおそれがあるといった問題があった。
【０００８】
本発明の目的は、検査のための試料便の採取を容易に且つ確実に行うことができる採便具を提供することにある。
【課題を解決するための手段】
【０００９】
上記の目的を達成するために、請求項１に記載の発明は、水分散性を有する帯状のシートの長手方向両端部を接着してリング状の便受けシートを形成し、前記便受けシート内に便座を通すことにより前記便受けシートを便座から吊し、前記便受けシートの一部が便受け部となって便器内に排泄された便を受け試料便を採取する採便具であって、前記便受けシートは全面に撥水性を備えていることを特徴とする。
【００１０】
請求項１に記載の発明によれば、前記便受けシートは全面に撥水性を備えているので、前記便受けシートの全面に備えた撥水性が水の吸収を一時的に妨げることになり、例えば、便器の開口縁や便座の下などに付着している洗浄水や尿、また、採便者の汗が前記便受けシートの面と接触しても、洗浄水や尿、また汗等の水分を一定時間吸収しないので、便受け部に載った排泄便の重みにより前記便受けシートが切れるおそれはなく、試料便の採取を容易に且つ確実に行うことができる。
【００１１】
請求項２に記載の発明は、請求項１に記載の、前記便受けシートは、全面に撥水剤が塗布された紙製シートであることを特徴とする。
【００１２】
請求項２に記載の発明によれば、前記便受けシートは、全面に撥水剤が塗布された紙製シートであるので、全面に撥水性を備えた前記便受けシートを容易に製造することができる。
【００１３】
請求項３に記載の発明は、請求項１に記載の、前記便受けシートは、撥水剤が混入された紙製シートであることを特徴とする。
【００１４】
請求項３に記載の発明によれば、前記便受けシートは、撥水剤が混入された紙製シートであるので、全面に撥水性を備えた前記便受けシートを容易に製造することができる。
【００１５】
請求項４に記載の発明は、請求項１乃至３のいずれか１に記載の、前記便受けシートは、前記便受け部に前記便受けシートの長手方向に直交する谷折れ部が形成されており、前記谷折れ部は両端部の対向面同士が接着されていることを特徴とする。
【００１６】
請求項４に記載の発明によれば、前記便受けシートは、便受け部に前記便受けシートの長手方向に直交する谷折れ部が形成されており、前記谷折れ部は両端部の対向面同士が接着されているので、前記谷折れ部を開いた状態とすることにより、便受け部に皿状の凹部が形成されることになり、便器内に排泄された便を凹部で確実に受け止めることができる。
【００１７】
請求項５に記載の発明は、請求項１乃至４のいずれか１に記載の、前記便受けシートは、前記便受け部が他の部分の幅よりも広幅に形成されていることを特徴とする。
【００１８】
請求項５に記載の発明によれば、前記便受け部は、他の部分の幅よりも広幅に形成されているので、便受け部が容易に確認でき、前記便受けシートを便座にセットする際に、便受け部が便器内で所定の位置になるように容易に且つ確実にセットすることができ、採便の失敗を防止できる。また、前記便受け部が他の部分の幅よりも広幅に形成されることにより、相対的に他の部分の幅が狭くなるので、狭くなった分、使用後に流すシート材料の量を減らして排出時のトイレの詰まりや配水管の詰まりを防ぐことができ、またシート材料の使用量を削減することができコストダウンを図ることができる。そして、前記便受け部の他の部分の幅を狭くしても、前記便受けシートは、その全面に撥水性を備えているので、洗浄水や尿、また汗等の水分による脆弱化を防ぐことができ、便受け部に載った排泄便の重みにより前記便受けシートの狭幅の部分が切れるおそれはなく、試料便の採取を確実に行うことができる。
【発明の効果】
【００１９】
本発明に係る採便具によれば、水分散性を有する帯状のシート材の長手方向両端部を接着してリング状の便受けシートを形成し、前記便受けシート内に便座を通すことにより前記便受けシートを便座から吊し、便器内に排泄された便を受けて試料便を採取する採便具であって、前記便受けシートは全面に撥水性を備えているので、洗浄水や尿、また汗等の水分と接触しても一定時間吸収しないので、採便具に載った排泄便の重みにより前記便受けシートが切れるおそれはなく、試料便の採取を容易に且つ確実に行うことができる。
【図面の簡単な説明】
【００２０】
【図１】本発明に係る採便具の実施の形態の第１例を示す斜視図である。
【図２】第１例の便受け部に形成された谷折れ部を示す拡大斜視説明図である。
【図３】図１の一部拡大図である。
【図４】図１のＸ−Ｘ線拡大断面図である。
【図５】第１例の採便具の使用状態を示す説明図である。
【図６】図５のＹ−Ｙ線一部省略断面図である。
【図７】本発明に係る採便具の実施の形態の第２例を示す斜視図である。
【発明を実施するための形態】
【００２１】
以下、本発明に係る採便具を実施するための形態の一例を、図面を参照して詳細に説明する。図１は本発明に係る採便具の実施の形態の第１例を示す斜視図、図２は第１例の便受け部に形成された谷折れ部を示す拡大斜視説明図、図３は図１の一部拡大図、図４は図１のＸ−Ｘ線拡大断面図、図５は第１例の採便具の使用状態を示す説明図、図６は図５のＹ−Ｙ線一部省略断面図である。
【００２２】
本例の採便具１は、水分散性を有する帯状のシート２の長手方向両端部２ａ，２ｂを接着してリング状の便受けシート３を形成する。長手方向両端部２ａ，２ｂの接着は接着剤の塗布によっても良いし、圧着加工によるものであっても良い。本例では、便受けシート３は、図１に示すように、長手方向に直交する幅Ｗ１（以下単に幅という。）は、全体が同幅の帯状のシート２により形成されている。また、幅Ｗ１の長さにあっては、少なくとも排泄された便を受けるに十分な長さに設定されている。また、便受けシート３の長手方向の長さにあっては、便受けシート３を２つ折りした状態で、便受けシート３内に水洗便器２０の便座２１を通すことにより便受けシート３を便座２１から吊したとき、図６に示すように、少なくとも、便受けシート３の一部に設定された便受け部４を位置させる最垂下部位Ａが水洗便器２０内の溜まり水２２に届かない長さに形成されている。
【００２３】
便受けシート３の一部に設定された便受け部４にあっては、その設定位置は特に限定されない。本例では、便受けシート３は、全体が同幅の帯状のシート２により形成されているので、便受けシート３内に水洗便器２０の便座２１を通すことにより便受けシート３を便座２１から吊したとき、図６に示すように、最垂下部位Ａの位置を便受け部４と設定することができるが、採便者の迷いを無くすため、便受けシート３に便受け部４を設定しておき、適宜な印を付しておくことが好ましい。
【００２４】
また、便受けシート３は、その全面に撥水性を備えている。本例では、便受けシート３は全面に撥水剤が塗布された紙製シートで形成されているが、これに限られるものではなく、撥水剤が混入された紙製シートで形成されていてもよい。
紙製シートとしては、水解紙或いは水分散性紙と呼ばれる従来の採便シートに用いられてきた公知の水分散性を有する紙製シートであればよく、特に限定されない。また、撥水剤にあっても特に限定されず、例えばパラフィン等の油脂ワックス、耐水性インクや耐水性コーティング剤等を用いてもよい。撥水剤の塗布量或いは混入量は、便受けシート３の水分散性を保持しつつ、その全面の水の吸収を一時的に妨げ、使用にあたっての適切な強度を備えさせることができる量であることを要する。ここで、使用にあたっての適切な強度とは、便座から吊した状態において、便受けシートの便受け部で、排泄便を載置した状態で、採便が終了するまでの間、例えば、成人が一回の排便時に排泄する標準的な排便重量の排泄便７４〜３７０ｇを、５分以上保持することができる強度をいう。
【００２５】
また、本例では、便受けシート３における便受け部４となる位置に、便受けシート３の長手方向に直交する谷折れ部５が形成されており、図２に示すように谷折れ部５は両端部の対向面同士が接着され接着部６が形成されている。この谷折れ部５の両端部の対向面同士の接着は接着剤の塗布によっても良いし、圧着加工によるものであっても良い。
【００２６】
このように構成された第１例の採便具１によれば、便受けシート３は、その全面に撥水性を備えているので、便受けシート３の全面に備えた撥水性が水の吸収を一時的に妨げることになり、水洗便器２０の開口縁や便座２１の下などに付着している洗浄水や尿、また、採便者の汗が便受けシート３の面と接触しても、洗浄水や尿、また汗等の水分を一定時間吸収しないので、採便具１に載った排泄便の重みにより便受けシート３が切れるおそれはない。
【００２７】
また、その全面に撥水性を備えている便受けシート３は、全面に撥水剤が塗布された紙製シートや撥水剤が混入された紙製シートで形成されているので、撥水性を備えた便受けシート３を容易に製造することができる。
【００２８】
また、本例では、便受けシート３における便受け部４となる位置に、便受けシート３の長手方向に直交する谷折れ部５が形成されており、谷折れ部５は両端部の対向面同士が接着され接着部６が形成されているので、谷折れ部５を開いた状態とすることにより、便受け部４に皿状の凹部７が形成されることになり、便器内に排泄された便を凹部７で確実に受け止めることができる。
【００２９】
図７は本発明に係る採便具の実施の形態の第２例を示す斜視図である。
第２例の採便具について、第１例と同一の構成については同一の符号を付しその説明を省略し、第１例と異なる構成についてのみ説明する。
【００３０】
第２例の便受けシート３は、図７に示すように、便受けシート３に設定されている便受け部４は、その幅Ｗ２が他の部分の幅Ｗ３よりも広幅に形成されている。
その他の構成は第１例と同様なので、第１例を援用し、その説明を省略する。
【００３１】
このように構成された第２例の採便具１によれば、便受けシート３に設定されている便受け部４は、その幅Ｗ２が他の部分の幅Ｗ３よりも広幅に形成されているので、便受け部４の位置が容易に確認でき、便受けシート３を便座にセットする際に、便受け部４が水洗便器２０内で所定の位置になるように容易に且つ確実にセットすることができる。
【００３２】
また、便受け部４の幅Ｗ２が他の部分の幅Ｗ３よりも広幅に形成されることにより、相対的に他の部分の幅Ｗ３が狭くなるので、狭くなった分、使用後に流すシート材料の量を減らして排出時のトイレの詰まりや配水管の詰まりを防ぐことができ、またシート材料の使用量を削減することができコストダウンを図ることができる。そして、便受け部４の他の部分の幅Ｗ３を狭くしても、便受けシート３は、その全面に撥水性を備えているので、洗浄水や尿、また汗等の水分による脆弱化を防ぐことができ、便受け部４に載った排泄便の重みにより便受けシート３の狭幅の部分が切れるおそれはない。
その他の作用効果は第１例と同様なので、第１例を援用し、その説明を省略する。
【符号の説明】
【００３３】
１  採便具
２  帯状のシート
２ａ，２ｂ  長手方向端部
３  便受けシート
４  便受け部
５  谷折れ部
６  接着部
７  凹部
２０  水洗便器
２１  便座
２２  溜まり水
Ａ  再垂下部位
【図１】
2018179539.tif 000003
【図２】
2018179539.tif 000004
【図３】
2018179539.tif 000005
【図４】
2018179539.tif 000006
【図５】
2018179539.tif 000007
【図６】
2018179539.tif 000008
【図７】
2018179539.tif 000009